(57)【要約】【課題】大型で重量のあるホースリールを回転可能にかつ安定して支持することができるホースリール装置を提供する。【解決手段】巻き取りドラムを搭載する回転台（１２）と、回転台（１２）の下側で回転台を回転軸（１１）で回転可能に支持するリール台（１３）と、リール台（１３）の回転軸周りの円周に沿って設けられ、回転台（１２）を回転可能に支持する複数の荷重支持部材（１０）と、を備える。【選択図】図１
0003155461.tif 000002
【実用新案登録請求の範囲】
【請求項１】
巻き取りドラムを搭載する回転台と、
前記回転台の下側で前記回転台を回転軸で回転可能に支持するリール台と、
前記リール台の前記回転軸周りの円周に沿って設けられ、前記回転台を回転可能に支持する複数の荷重支持部材と、が備えられることを特徴とするホースリール装置。
【請求項２】
前記回転台は、外部の力で回転させるためコーナーにロッドが立設されることを特徴とする請求項１に記載のホースリール装置。
【請求項３】
前記回転台に設けられるロック孔と、前記リール台の前記ロック孔に対応する位置に設けられるナットと、前記ロック孔と前記ナットに螺合させて前記回転台の回転をロックするロックボルトと、が備えられることを特徴とする請求項１に記載のホースリール装置。
【考案の詳細な説明】
【技術分野】
【０００１】
本考案は、ホースリール装置に係り、より詳細には、回転自在なホースリール装置に関する。
【背景技術】
【０００２】
特許文献１には、回転可能なエアーホースリールが示される。このエアーホースリールは、リールが設置台に回転軸で回転可能に支持される。しかしながら、小型軽量のリールであれば、回転軸で支えることができるが、例えば、重量が約２００ｋｇもある大型のリールは、回転軸のみで支えることは難しい。
【先行技術文献】
【特許文献】
【０００３】
【特許文献１】実開平６−８０７６９号公報
【考案の概要】
【考案が解決しようとする課題】
【０００４】
本考案の目的は、大型で重量のあるホースリールを回転可能にかつ安定して支持することができるホースリール装置を提供することにある。
【課題を解決するための手段】
【０００５】
上記の目的を達成するため、本考案によるホースリール装置は、巻き取りドラムを搭載する回転台と、前記回転台の下側で前記回転台を回転軸で回転可能に支持するリール台と、前記リール台の前記回転軸周りの円周に沿って設けられ、前記回転台を回転可能に支持する複数の荷重支持部材と、が備えられたものである。
【０００６】
前記回転台は、外部の力で回転させるためコーナーにロッドを立設することが好ましい。
【０００７】
前記回転台に設けられるロック孔と、前記リール台の前記ロック孔に対応する位置に設けられるナットと、前記ロック孔と前記ナットに螺合させて前記回転台の回転をロックするロックボルトと、を備えることが好ましい。
【考案の効果】
【０００８】
本考案によるホースリール装置によれば、リール台の回転軸周りの円周に、回転台を回転可能に支持する複数の荷重支持部材を設けたので、回転台および回転台の上に設置される巻き取りドラムの重量が大きくても、回転可能にかつ安定して支持することができる。
【０００９】
回転台のコーナーにロッドを立設したので、例えばワイヤを接続してトラクタで引っ張ることにより、回転台を容易に回転できる。
【００１０】
回転台のロック孔に通し、リール台のナットを螺合させるロックボルトを備えたので、回転台を回転しないように堅固にロックすることができる。回転軸をロックするより小さな力でロックできる。運搬時の回転を防止する場合などに有効に使用できる。
【図面の簡単な説明】
【００１１】
【図１】本考案によるホースリール装置の側面図である。
【図２】本考案によるホースリール装置の正面図である。
【図３】本考案によるホースリール装置の背面図である。
【図４】本考案によるホースリール装置の斜視図である。
【図５】図４のリール台の平面図である。
【図６】本考案によるホースリール装置の使用例である。
【考案を実施するための形態】
【００１２】
以下、図面を参照して本考案によるホースリール装置を説明する。
【実施例】
【００１３】
図１は、本考案によるホースリール装置の側面図である。ホースリール装置１００は、巻き取りドラム１が回転台１２の上に設置され、回転台１２は、リール台１３に回転軸１１と、荷重支持部材１０で回転可能に支持される。巻き取りドラム１に散水ホース２が巻き取られる。散水ホース２は、前方ガイドロール４を介して巻き取られまた引き出される。散水ホース２への給水は、給水口３から行なう。巻き取りドラム１の後方下部には、後方ガイドロール５が設けられる。後方ガイドロール５は、散水ホース２が盛り上がるように巻き取られた場合、それ以上後方に突出しないようにできる。巻き取りドラム１の直径は、これに限られるものではないが、一例として１．３ｍである。巻き取れるホースの長さは、約６０ｍである。
【００１４】
図２は、本考案によるホースリール装置の正面図である。巻き取りドラム１は、第１巻き取りドラム１ａと第２巻き取りドラム１ｂの２つからなる。散水ホース２は、第１巻き取りドラム１ａと第２巻き取りドラム１ｂに対応して、それぞれ第１散水ホース２ａと第２散水ホース２ｂの２本が使用される。第１巻き取りドラム１ａと第２巻き取りドラム１ｂの内部には、巻き取りスプリング７が設けられており、第１散水ホース２ａまたは第２散水ホース２ｂが引き出されると縮んで巻き取り時に最大で１２７Ｎ・ｍのトルクを得ることができる。散水ホース２は０．８ｋｇ／ｍと重いので、このようなトルクは、巻き取り時に補助的に機能する。巻き取りドラム１の奥行きは約５０ｃｍで、直径に比較して厚みがない。そのため、巻き取りドラム１を２台搭載しても、回転台１２の面積は大きく増加しない。
【００１５】
第１散水ホース２ａと第２散水ホース２ｂは、それぞれ第１前方ガイドロール４ａと第２前方ガイドロール４ｂを介して巻き取られ、また引き出される。第１前方ガイドロール４ａと第２前方ガイドロール４ｂには、左右両側に縦ロール８が組み込まれ、上下両側に横ロール９が組み込まれる。回転台１２を回動させた場合、散水ホース２が縦ロール８に当接するが、縦ロール８が回って散水ホース２が傷つかないようにできる。ホースリール装置１００の全体の重量は、一例として約５００ｋｇである。
【００１６】
図３は、本考案によるホースリール装置の背面図である。第１巻き取りドラム１ａと第２巻き取りドラム１ｂの後方下部には、それぞれ第１後方ガイドロール５ａと第２後方ガイドロール５ｂが設けられる。
【００１７】
図４は、本考案によるホースリール装置の斜視図である。２つの給水口３へは、流体として水が第１給水ホース３ａと第２給水ホース３ｂで供給される。回転台１２は、コーナーに外部の力で回転させるためのロッド１５が立設される。ロッド１５にワイヤを接続してトラクタなどで引くことにより、ホースリール装置１００の向きを変えることができる。
【００１８】
回転台１２にはロック孔１６が設けられ、リール台１３にはロック孔１６に対応する位置にナット１７が設けられる。そしてロック孔１６に通してナット１７に螺合させるロックボルト１８を備える。これにより、回転台１２を回転しないようにロックできる。ロック孔１６とナット１７は、回転軸１１から離れた位置に設け、ロックボルト１８に大きな力がかからないようにした。
【００１９】
図５は、図４のリール台の平面図である。図５は、リール台１３に対して回転台１２が反時計まわりに少し回動された場合を示している。リール台１３には、回転軸１１の周りの円周に沿って、複数の荷重支持部材１０が設置される。引出円Ｃ１に示すように、この実施例では、荷重支持部材１０はローラー１０ａである。つまり荷重支持部材１０に回転台１２が乗る構造である。回転軸１１は、リール台１３に固定された軸に嵌合するように、筒状の軸が回転台１２に取り付けられている。これにより回転台１２が回転する。この実施例では、ローラー１０ａをリール台１３の上側に取り付けたが、回転台１２の下側に取り付けてもよい。また、ローラーにかえて金属製の球体（ボール）を使用してもよい。
【００２０】
図６は、本考案によるホースリール装置の使用例である。図６に示すように第１散水ホース２ａと第２散水ホース２ｂは、解体重機５０の散水口に接続される。これによれば、解体重機５０が移動した場合、容易にホースリール装置１００の向きを変更することができる。第１散水ホース２ａと第２散水ホース２ｂをクローラ型散水機に接続してもよい。
【００２１】
本実施例では、巻き取りドラム１は２台を回転台に搭載したが、１台であってもよい。また、散水ホースを巻き取るまたは送り出すため、モータを含む駆動機構を搭載してもよい。
【産業上の利用可能性】
【００２２】
本考案は、大型で重量のあるホースリールを回転可能に支持することができるホースリール装置として好適である。
【符号の説明】
【００２３】
１    巻き取りドラム
１ａ    第１巻き取りドラム
１ｂ    第２巻き取りドラム
２    散水ホース
２ａ    第１散水ホース
２ｂ    第２散水ホース
３    給水口
３ａ    第１給水ホース
３ｂ    第２給水ホース
４    前方ガイドロール
４ａ    第１前方ガイドロール
４ｂ    第２前方ガイドロール
５    後方ガイドロール
５ａ    第１後方ガイドロール
５ｂ    第２後方ガイドロール
６    巻き取り方向
７    巻き取りスプリング
８    縦ロール
９    横ロール
１０    荷重支持部材
１０ａ    ローラー
１１    回転軸
１２    回転台
１３    リール台
１４    ボール
１５    ロッド
１６    ロック孔
１７    ナット
１８    ロックボルト
５０    解体重機
１００    ホースリール装置
【図１】
0003155461.tif 000003
【図２】
0003155461.tif 000004
【図３】
0003155461.tif 000005
【図４】
0003155461.tif 000006
【図５】
0003155461.tif 000007
【図６】
0003155461.tif 000008